(57)【要約】  本発明はマルチメディア情報再生方法及びシステム、採集デバイス、標準サーバを開示し、ネットワーク技術分野に関し、前記方法は、生放送端末により送信された生放送指令を受信するステップと、周囲の環境情報を採集してマルチメディア情報を取得するステップと、生放送指令に基づいて、標準サーバにマルチメディア情報を送信し、標準サーバから再生端末にマルチメディア情報を送信し、再生端末によって受信されたマルチメディア情報を再生するステップとを含む。本発明の開示内容はマルチメディア情報の再生効果が悪い問題を解決し、マルチメディア情報の再生効果を向上させ、マルチメディア情報の再生に用いられるものである。  【選択図】  図２
2019503088.tif 000002
【特許請求の範囲】
【請求項１】
マルチメディア情報再生システムにおける採集デバイスに用いられるマルチメディア情報再生方法であって、
前記マルチメディア情報再生システムは、標準サーバと、生放送端末と、再生端末と、前記採集デバイスと、を含み、
前記マルチメディア情報再生方法は、
前記生放送端末により送信された生放送指令を受信するステップと、
周囲の環境情報を採集してマルチメディア情報を取得するステップと、
前記標準サーバが前記再生端末にマルチメディア情報を送信し、且つ前記再生端末が受信されたマルチメディア情報を再生するように、前記生放送指令に基づいて、前記標準サーバに前記マルチメディア情報を送信するステップと、
を含む、
ことを特徴とするマルチメディア情報再生方法。
【請求項２】
前記採集デバイスにより採集されたマルチメディア情報の規格は、高精細度マルチメディアインタフェース（ＨＤＭＩ）規格又はシリアルデジタルインタフェース（ＳＤＩ）規格である、
ことを特徴とする請求項１に記載の方法。
【請求項３】
前記標準サーバに前記マルチメディア情報を送信するステップは、
リアルタイムメッセージングプロトコル（ＲＴＭＰ）に基づいて、前記標準サーバに前記マルチメディア情報を送信するステップを含む、
ことを特徴とする請求項１に記載の方法。
【請求項４】
前記生放送指令は、第１ネットワークアドレスを有し、
前記第１ネットワークアドレスは、前記標準サーバの少なくとも一つのネットワークアドレスに属する、
ことを特徴とする請求項１に記載の方法。
【請求項５】
マルチメディア情報システムにおける標準サーバに用いられるマルチメディア情報再生方法であって、
前記マルチメディア情報再生システムは、採集デバイスと、生放送端末と、再生端末と、前記標準サーバと、を含み、
前記マルチメディア情報再生方法は、
前記採集デバイスにより生放送指令に基づいて送信されたマルチメディア情報を受信するステップであって、前記マルチメディア情報は、前記採集デバイスが周囲の環境情報を採集することで取得したものであり、且つ、前記生放送指令は、前記生放送端末が前記採集デバイスに送信したものであるステップと、
前記再生端末が受信されたマルチメディア情報を再生するように、前記再生端末にマルチメディア情報を送信するステップと、
を含む、
ことを特徴とするマルチメディア情報再生方法。
【請求項６】
前記採集デバイスにより採集されたマルチメディア情報の規格は、ＨＤＭＩ規格又はＳＤＩ規格である、
ことを特徴とする請求項５に記載の方法。
【請求項７】
前記採集デバイスにより生放送指令に基づいて送信されたマルチメディア情報を受信するステップは、
ＲＴＭＰに基づいて、前記採集デバイスにより生放送指令に基づいて送信されたマルチメディア情報を受信するステップを含む、
ことを特徴とする請求項５に記載の方法。
【請求項８】
前記標準サーバは少なくとも二つのネットワークアドレスを有し、
前記マルチメディア情報再生方法は、
前記生放送端末により送信された生放送要求を受信するステップと、
前記標準サーバの少なくとも二つのネットワークアドレスの中で第１ネットワークアドレスと第２ネットワークアドレスをそれぞれ選択するステップであって、前記第１ネットワークアドレスと前記第２ネットワークアドレスとは、それぞれ前記標準サーバにおける異なる記憶モジュールを指示するステップと、
前記生放送端末が前記第１ネットワークアドレスを有する生放送指令を前記採集デバイスに送信するように、前記生放送端末に前記第１ネットワークアドレスを送信するステップと、
を更に含む、
ことを特徴とする請求項５に記載の方法。
【請求項９】
前記マルチメディア情報再生方法は、
前記マルチメディア情報を、前記第１ネットワークアドレスにより指示された記憶モジュールに記憶するステップと、
前記マルチメディア情報を標準化処理し、標準化処理されたマルチメディア情報のパラメータと前記再生端末の再生パラメータとを一致させるステップと、
標準化処理されたマルチメディア情報を、前記第２ネットワークアドレスにより指示された記憶モジュールに記憶するステップと、
前記再生端末の再生要求を受信するステップであって、前記再生要求は前記第２ネットワークアドレスを有するステップと、
を更に含み、
前記再生端末にマルチメディア情報を送信するステップは、
前記第２ネットワークアドレスにより指示された記憶モジュールにおいて前記標準化処理されたマルチメディア情報を取得するステップと、
生放送配信メカニズムとコンテンツ配信ネットワーク（ＣＤＮ）メカニズムを利用し、前記標準化処理されたマルチメディア情報を前記再生端末に送信するステップと、
を含む、
ことを特徴とする請求項８に記載の方法。
【請求項１０】
マルチメディア情報再生システムに属する採集デバイスであって、
前記マルチメディア情報再生システムは、標準サーバと、生放送端末と、再生端末と、を更に含み、
前記採集デバイスは、
前記生放送端末により送信された生放送指令を受信するように構成される受信モジュールと、
周囲の環境情報を採集してマルチメディア情報を取得するように構成される採集モジュールと、
前記標準サーバが前記再生端末にマルチメディア情報を送信し、且つ前記再生端末が受信されたマルチメディア情報を再生するように、前記生放送指令に基づいて、前記標準サーバに前記マルチメディア情報を送信するように構成される送信モジュールと、を含む、
ことを特徴とする採集デバイス。
【請求項１１】
前記採集デバイスにより採集されたマルチメディア情報の規格は、ＨＤＭＩ規格又はＳＤＩ規格である、
ことを特徴とする請求項１０に記載の採集デバイス。
【請求項１２】
前記送信モジュールは、更に、ＲＴＭＰに基づいて、前記標準サーバに前記マルチメディア情報を送信するように構成される、
ことを特徴とする請求項１０に記載の採集デバイス。
【請求項１３】
前記生放送指令は、第１ネットワークアドレスを有し、
前記第１ネットワークアドレスは、前記標準サーバの少なくとも一つのネットワークアドレスに属する、
ことを特徴とする請求項１０に記載の採集デバイス。
【請求項１４】
マルチメディア情報再生システムに属する標準サーバであって、
前記マルチメディア情報再生システムは、採集デバイスと、生放送端末と、再生端末と、を更に含み、
前記標準サーバは、
前記採集デバイスにより生放送指令に基づいて送信されたマルチメディア情報を受信するように構成される第１受信モジュールであって、前記マルチメディア情報は、前記採集デバイスが周囲の環境情報を採集することで取得したものであり、且つ、前記生放送指令は、前記生放送端末が前記採集デバイスに送信したものである第１受信モジュールと、
前記再生端末が受信されたマルチメディア情報を再生するように、前記再生端末にマルチメディア情報を送信するように構成される第１送信モジュールと、を含む、
ことを特徴とする標準サーバ。
【請求項１５】
前記採集デバイスにより採集されたマルチメディア情報の規格は、ＨＤＭＩ規格又はＳＤＩ規格である、
ことを特徴とする請求項１４に記載の標準サーバ。
【請求項１６】
前記第１受信モジュールは、更に、ＲＴＭＰに基づいて、前記採集デバイスにより前記生放送指令に基づいて送信された前記マルチメディア情報を受信するように構成される、
ことを特徴とする請求項１４に記載の標準サーバ。
【請求項１７】
前記標準サーバは、少なくとも二つのネットワークアドレスを有し、
前記標準サーバは、
前記生放送端末により送信された生放送要求を受信するように構成される第２受信モジュールと、
前記標準サーバの少なくとも二つのネットワークアドレスの中で第１ネットワークアドレスと第２ネットワークアドレスをそれぞれ選択するように構成される選択モジュールであって、前記第１ネットワークアドレスと前記第２ネットワークアドレスとは、それぞれ前記標準サーバにおける異なる記憶モジュールを指示する選択モジュールと、
前記生放送端末が前記第１ネットワークアドレスを有する生放送指令を前記採集デバイスに送信するように、前記生放送端末に前記第１ネットワークアドレスを送信するように構成される第２送信モジュールと、
を更に含む、
ことを特徴とする請求項１４に記載の標準サーバ。
【請求項１８】
前記標準サーバは、
前記マルチメディア情報を、前記第１ネットワークアドレスにより指示された記憶モジュールに記憶するように構成される第１記憶モジュールと、
前記マルチメディア情報を標準化処理し、標準化処理されたマルチメディア情報のパラメータと前記再生端末の再生パラメータとを一致させるように構成される処理モジュールと、
標準化処理されたマルチメディア情報を、前記第２ネットワークアドレスにより指示された記憶モジュールに記憶するように構成される第２記憶モジュールと、
前記再生端末の再生要求を受信するように構成される第３受信モジュールであって、前記再生要求は前記第２ネットワークアドレスを有する第３受信モジュールと、
を更に含み、
前記第１送信モジュールは、更に、
前記第２ネットワークアドレスにより指示された記憶モジュールにおいて前記標準化処理されたマルチメディア情報を取得し、
生放送配信メカニズムとＣＤＮメカニズムを利用し、前記標準化処理されたマルチメディア情報を前記再生端末に送信するように構成される、
ことを特徴とする請求項１７に記載の標準サーバ。
【請求項１９】
マルチメディア情報再生システムに属する採集デバイスであって、
前記マルチメディア情報再生システムは、標準サーバと、生放送端末と、再生端末と、を更に含み、
前記採集デバイスは、
前記生放送端末により送信された生放送指令を受信するように構成される受信機と、
周囲の環境情報を採集してマルチメディア情報を取得するように構成されるプロセッサと、
前記標準サーバが前記再生端末にマルチメディア情報を送信し、且つ前記再生端末が受信されたマルチメディア情報を再生するように、前記生放送指令に基づいて、前記標準サーバに前記マルチメディア情報を送信するように構成される送信機と、
を含む、
ことを特徴とする採集デバイス。
【請求項２０】
マルチメディア情報再生システムに属する標準サーバであって、
前記マルチメディア情報再生システムは、採集デバイスと、生放送端末と、再生端末と、を更に含み、
前記標準サーバは、
プロセッサユニットと、
前記プロセッサユニットにより実行可能な指令を記憶するように構成されるメモリと、
を含み、
その中、前記プロセッサユニットは、
前記採集デバイスにより生放送指令に基づいて送信されたマルチメディア情報を受信し、前記マルチメディア情報は、前記採集デバイスが周囲の環境情報を採集して取得したものであり、前記生放送指令は、前記生放送端末が前記採集デバイスに送信したものであり、
前記再生端末が受信されたマルチメディア情報を再生するように、前記再生端末にマルチメディア情報を送信する、ように構成される、
ことを特徴とする標準サーバ。
【請求項２１】
採集デバイスと、標準サーバと、生放送端末と、再生端末と、を含み、
その中、前記採集デバイスは、請求項１０乃至１３のいずれかに記載の採集デバイスであり、前記標準サーバは、請求項１４乃至１８のいずれかに記載の標準サーバであり、又は、
前記採集デバイスは、請求項１９に記載の採集デバイスであり、前記標準サーバは、請求項２０に記載の標準サーバである、
ことを特徴とするマルチメディア情報再生システム。
【発明の詳細な説明】
【技術分野】
【０００１】
本出願は、ネットワーク技術分野に関し、特に、マルチメディア情報再生方法及びシステム、採集デバイス、標準サーバに関する。
【背景技術】
【０００２】
ネットワーク技術の高速成長に伴い、益々多くのインターネット生放送プラットフォームが現れ、ユーザーがインターネット生放送プラットフォームで様々なマルチメディア情報を生放送することができる。
【０００３】
関連技術において、生放送の携帯電話（例えば、キャスターの携帯電話）でインターネット生放送プラットフォームのサーバに登録することができ、この時、サーバは生放送の携帯電話に一つの生放送ネットワークアドレスを送り、その後生放送の携帯電話のカメラで生放送中の動画情報を採集し、生放送の携帯電話のマイクで生放送中の音声情報を採集することができ、生放送の携帯電話は、更に、採集された生放送中の動画情報及び生放送中の音声情報のマルチメディア情報を生放送ネットワークアドレスに送信することができる。再生用携帯電話（例えば、観衆の携帯電話）でインターネット生放送プラットフォームのサーバに登録して、生放送ネットワークアドレスのマルチメディア情報を再生用携帯電話に送信するようにサーバをトリガすることもでき、再生用携帯電話は受信されたマルチメディア情報を再生するようにする。
【０００４】
関連技術において、携帯電話のカメラ及び携帯電話のマイクによって採集されたマルチメディア情報の質が悪いから、再生用携帯電話がサーバから受信するマルチメディア情報の質も悪く、従って、マルチメディア情報の再生効果が悪い。
【発明の概要】
【発明が解決しようとする課題】
【０００５】
本願に開示される実施例は、マルチメディア情報の再生方法及びシステム、採集デバイス、標準サーバを提供する。前記技術案は以下のようである。
【課題を解決するための手段】
【０００６】
第１側面によると、マルチメディア情報再生方法が提供され、前記方法は、マルチメディア情報再生システムにおける採集デバイスに用いられ、前記マルチメディア情報再生システムは、標準サーバと、生放送端末と、再生端末と前記採集デバイスとを含み、
前記方法は、
前記生放送端末により送信された生放送指令を受信するステップと、
周囲の環境情報を採集してマルチメディア情報を取得するステップと、
前記標準サーバが前記再生端末にマルチメディア情報を送信し、且つ前記再生端末が受信されたマルチメディア情報を再生するように、前記生放送指令に基づいて、前記標準サーバに前記マルチメディア情報を送信するようにするステップと、
を含む。
【０００７】
好ましくは、前記採集デバイスにより採集されたマルチメディア情報の規格は、高精細度マルチメディアインタフェース（ＨＤＭＩ）規格又はシリアルデジタルインタフェース（ＳＤＩ）規格である。
【０００８】
好ましくは、前記標準サーバに前記マルチメディア情報を送信するステップは、
リアルタイムメッセージングプロトコルＲＴＭＰに基づいて、前記標準サーバに前記マルチメディア情報を送信するステップを含む。
【０００９】
好ましくは、前記生放送指令は、第１ネットワークアドレスを有し、前記第１ネットワークアドレスは、前記標準サーバの少なくとも一つのネットワークアドレスに属する。
【００１０】
第２側面によると、マルチメディア情報再生方法が提供され、前記方法は、マルチメディア情報システムにおける標準サーバに用いられ、前記マルチメディア情報再生システムは、採集デバイスと、生放送端末と、再生端末と、前記標準サーバと、を含む。前記方法は、
前記採集デバイスにより生放送指令に基づいて送信されたマルチメディア情報を受信するステップであって、前記マルチメディア情報は、前記採集デバイスが周囲の環境情報を採集することで取得したものであり、且つ、前記生放送指令は、前記生放送端末が前記採集デバイスに送信したものであるステップと、
前記再生端末が受信されたマルチメディア情報を再生するように、前記再生端末にマルチメディア情報を送信するステップと、を含む。
【００１１】
好ましくは、前記採集デバイスにより採集されたマルチメディア情報の規格は、ＨＤＭＩ規格又はＳＤＩ規格である。
【００１２】
好ましくは、前記採集デバイスの前記生放送指令に基づいて送信されたマルチメディア情報を受信するステップは、ＲＴＭＰに基づいて、前記採集デバイスにより生放送指令に基づいて送信された前記マルチメディア情報を受信するステップを含む。
【００１３】
好ましくは、前記標準サーバは少なくとも二つのネットワークアドレスを有し、更に、前記方法は、
前記生放送端末により送信された生放送要求を受信するステップと、
前記標準サーバの少なくとも二つのネットワークアドレスの中で第１ネットワークアドレスと第２ネットワークアドレスをそれぞれ選択するステップであって、前記第１ネットワークアドレスと前記第２ネットワークアドレスとは、それぞれ前記標準サーバにおける異なる記憶モジュールを指示するステップと、
前記生放送端末が前記第１ネットワークアドレスを有する生放送指令を前記採集デバイスに送信するように、前記生放送端末に前記第１ネットワークアドレスを送信するステップとを含む。
【００１４】
好ましくは、前記方法は、
前記マルチメディア情報を、前記第１ネットワークアドレスにより指示された記憶モジュールに記憶するステップと、
前記マルチメディア情報を標準化処理し、標準化処理されたマルチメディア情報のパラメータと前記再生端末の再生パラメータとを一致させるステップと、
標準化処理されたマルチメディア情報を、前記第２ネットワークアドレスにより指示された記憶モジュールに記憶するステップと、
前記再生端末の再生要求を受信するステップであって、前記再生要求は前記第２ネットワークアドレスを有するステップと、
を更に含み、
前記再生端末にマルチメディア情報を送信するステップは、
前記第２ネットワークアドレスにより指示された記憶モジュールにおいて前記標準化処理されたマルチメディア情報を取得するステップと、
生放送配信メカニズムとコンテンツ配信ネットワーク（ＣＤＮ）メカニズムを採用し、前記標準化処理されたマルチメディア情報を前記再生端末に送信するステップとを含む。
【００１５】
第３側面によると、採集デバイスが提供され、前記採集デバイスは、マルチメディア情報再生システムに属し、前記マルチメディア情報再生システムは、標準サーバと、生放送端末と、再生端末と、を更に含み、
前記採集デバイスは、
前記生放送端末により送信された生放送指令を受信するように構成される受信モジュールと、
周囲の環境情報を採集してマルチメディア情報を取得するように構成される採集モジュールと、
前記標準サーバが前記再生端末にマルチメディア情報を送信し、且つ前記再生端末が受信されたマルチメディア情報を再生するように、前記生放送指令に基づいて前記標準サーバに前記マルチメディア情報を送信する送信モジュールとを含む。
【００１６】
好ましくは、前記採集デバイスにより採集されたマルチメディア情報の規格はＨＤＭＩ規格又はＳＤＩ規格である。
【００１７】
好ましくは、前記送信モジュールは、ＲＴＭＰに基づいて、前記標準サーバに前記マルチメディア情報を送信するように構成される。
【００１８】
好ましくは、前記生放送指令は、少なくとも第１ネットワークアドレスを有し、前記第１ネットワークアドレスは、前記標準サーバの少なくとも一つのネットワークアドレスに属する。
【００１９】
第４側面によると、標準サーバが提供され、前記標準サーバはマルチメディア情報再生システムに属し、前記マルチメディア情報再生システムは、採集デバイスと、生放送端末と、再生端末と、を更に含み、
前記標準サーバは、
前記採集デバイスにより生放送指令に基づいて送信されたマルチメディア情報を受信するように構成される第１受信モジュールであって、前記マルチメディア情報は、前記採集デバイスが周囲の環境情報を採集することで取得したものであり、且つ、前記生放送指令は、前記生放送端末が前記採集デバイスに送信したものである第１受信モジュールと、
前記再生端末が受信されたマルチメディア情報を再生するように、前記再生端末にマルチメディア情報を送信するように構成される第１送信モジュールとを含む。
【００２０】
好ましくは、前記採集デバイスにより採集されたマルチメディア情報の規格はＨＤＭＩ規格又はＳＤＩ規格である。
【００２１】
好ましくは、前記第１受信モジュールは、ＲＴＭＰに基づいて、前記採集デバイスの前記生放送指令に基づいて送信された前記マルチメディア情報を受信するように構成される。
【００２２】
好ましくは、前記標準サーバは少なくとも二つのネットワークアドレスを有し、前記標準サーバは、
前記生放送端末により送信された生放送要求を受信するように構成される第２受信モジュールと、
前記標準サーバの少なくとも二つのネットワークアドレスの中で第１ネットワークアドレスと第２ネットワークアドレスをそれぞれ選択する選択モジュールであって、前記第１ネットワークアドレスと前記第２ネットワークアドレスとは、それぞれ前記標準サーバにおける異なる記憶モジュールを指示する選択モジュールと、
前記生放送端末が前記第１ネットワークアドレスを有する生放送指令を前記採集デバイスに送信するように、前記生放送端末に前記第１ネットワークアドレスを送信する第２送信モジュールとを含む。
【００２３】
好ましくは、前記標準サーバは、
前記マルチメディア情報を、前記第１ネットワークアドレスにより指示された記憶モジュールに記憶する第１記憶モジュールと、
前記マルチメディア情報を標準化処理し、標準化処理されたマルチメディア情報のパラメータと前記再生端末の再生パラメータとを一致させる処理モジュールと、
標準化処理されたマルチメディア情報を前記第２ネットワークアドレスにより指示された記憶モジュールに記憶する第２記憶モジュールと、
前記再生端末の再生要求を受信する第３受信モジュールであって、前記再生要求は前記第２ネットワークアドレスを有する第３受信モジュールと、
を含み、
前記第１送信モジュールは、
前記第２ネットワークアドレスにより指示された記憶モジュールにおいて前記標準化処理されたマルチメディア情報を取得し、
生放送配信メカニズムとＣＤＮメカニズムを利用し、前記標準化処理されたマルチメディア情報を前記再生端末に送信するように構成される。
【００２４】
第５側面によると、採集デバイスが提供され、前記採集デバイスは、マルチメディア情報再生システムに属し、前記マルチメディア情報再生システムは、標準サーバと、生放送端末と、再生端末と、を更に含み、
前記採集デバイスは、
前記生放送端末により送信された生放送指令を受信するように構成される受信機と、
周囲の環境情報を採集してマルチメディア情報を取得するように構成されるプロセッサと、
前記標準サーバが前記再生端末にマルチメディア情報を送信し、且つ前記再生端末が受信されたマルチメディア情報を再生するように、前記生放送指令に基づいて前記標準サーバに前記マルチメディア情報を送信する送信機とを含む。
【００２５】
好ましくは、前記採集デバイスにより採集されたマルチメディア情報の規格はＨＤＭＩ規格又はＳＤＩ規格である。
【００２６】
好ましくは、前記送信機は、ＲＴＭＰに基づいて、前記標準サーバに前記マルチメディア情報を送信するように構成される。
【００２７】
好ましくは、前記生放送指令は、第１ネットワークアドレスを有し、前記第１ネットワークアドレスは、前記標準サーバの少なくとも一つのネットワークアドレスに属する。
【００２８】
第６側面によると、標準サーバが提供され、前記標準サーバはマルチメディア情報再生システムに属し、前記マルチメディア情報再生システムは、採集デバイスと、生放送端末と、再生端末と、を更に含み、
前記標準サーバは、
プロセッサユニットと、
前記プロセッサユニットにより実行可能な指令を記憶するように構成されるメモリと、
を含み、
ここで、前記プロセッサユニットは、指令を実行し、それによって第２側面に記載のマルチメディア情報の再生方法を実現するように構成される。
【００２９】
第７側面によると、マルチメディア情報再生システムが提供され、前記マルチメディア情報再生システムは、採集デバイス、標準サーバと、生放送端末と、再生端末と、を含み、
前記採集デバイスは第３側面に記載の採集デバイスで、前記標準サーバは第４側面に記載の標準サーバであり、
或いは、前記採集デバイスは第５側面に記載の採集デバイスで、前記標準サーバは第６側面に記載の標準サーバである。
【発明の効果】
【００３０】
本願に開示される実施例により提供される技術案は以下のような利点を含む。
前記マルチメディア情報再生方法において、採集デバイスは、生放送端末により送信された生放送指令を受信すると、生放送指令に基づいて、集取されたマルチメディア情報を標準サーバに送信し、そうすると、標準サーバはこのマルチメディア情報を再生端末に送信し、マルチメディア情報を再生させる。この採集デバイスと生放送端末とはそれぞれ独立の個体で、且つ採集デバイスの構成パラメータを向上することにより、採集デバイスにより取得されたマルチメディア情報の質を向上するから、再生端末によって受信されたマルチメディア情報の質を向上することができ、マルチメディア情報の再生効果を向上する。
以上の一般的な説明と後文の詳細説明は単なる例示的なもので、本発明を限定してはいけないと理解されるべきである。
【図面の簡単な説明】
【００３１】
本願に開示される実施例における技術案をより明白に説明するために、以下実施例に対する説明に利用される図面を説明し、明らかに、以下説明される図面はただ本発明の一部の実施例だけで、当業者は、創造的労力がされないという前提で、更に、これらの図面により他の図面を得ることができる。
【図１】一つの例示的な実施例に示されるマルチメディア情報再生システムの構造概略図である。
【図２】一つの例示的な実施例に示されるマルチメディア情報再生方法のフローチャートである。
【図３】一つの例示的な実施例に示されるもう一つのマルチメディア情報再生方法のフローチャートである。
【図４】一つの例示的な実施例に示されるもう一つのマルチメディア情報再生方法のフローチャートである。
【図５−１】一つの例示的な実施例に示されるユーザーインタフェースの概略図である。
【図５−２】一つの例示的な実施例に示されるもう一つのユーザーインタフェースの概略図である。
【図５−３】一つの例示的な実施例に示されるもう一つのユーザーインタフェースの概略図である。
【図６】一つの例示的な実施例に示される一つの採集デバイスの構造概略図である。
【図７−１】一つの例示的な実施例に示される一つの標準サーバの構造概略図である。
【図７−２】一つの例示的な実施例に示されるもう一つの標準サーバの構造概略図である。
【図７−３】一つの例示的な実施例に示されるもう一つの標準サーバの構造概略図である。
【図８】一つの例示的な実施例に示されるもう一つの採集デバイスの構造概略図である。
【図９】一つの例示的な実施例に示されるもう一つの標準サーバの構造概略図である。
【００３２】
ここでの図面は明細書に組み入れられて本明細書の一部となり、本発明に該当する実施例を示し、明細書と共に本発明の原理を解釈する。
【発明を実施するための形態】
【００３３】
本願の目的と、技術案と利点をより明白にさせるため、以下に図面を参照しながら本願を更に詳しく説明する。説明された実施例はただ本願の一部の実施例だけで、全部の実施例ではないことは明らかである。本願に開示される実施例に基づいて、当業者が創造的労力がされないという前提で取得した全ての他の実施例は、全部本願の保護範囲に属する。
【００３４】
図１は一つの例示的な実施例に示されるマルチメディア情報再生システムの構造概略図で、図１に示すように、前記マルチメディア情報再生システム１は、採集デバイス１０と、標準サーバ１１と、生放送端末１２と、再生端末１３と、を含む。生放送端末１２と再生端末１３とは、いずれも標準サーバ１１に登録してから、前記標準サーバ１１との通信接続が確立され、更に、前記生放送端末は採集デバイスとの接続が可能である。
【００３５】
例示的には、採集デバイス１０と、標準サーバ１１と、生放送端末１２と、再生端末１３との間に確立される接続は、有線ネットワークにより確立されたものでもよく、無線ネットワークにより確立されたものでもよく、本願の実施例はこれを限定しない。ここで、有線ネットワークは、ユニバーサル・シリアル・バス（英語: Universal Serial Bus、略称：ＵＳＢ）を含むがこれを限定しない。無線ネットワークはワイファイ（英語: Wireless Fidelity Bus、略称：ＷＩＦＩ）、ブルートゥース、赤外線、ジグビー（英語: Zigbee）、データ等を含むがこれらを限定しない。なお、本願の実施例における生放送端末１２は携帯電話であっても良い。
【００３６】
図２は一つの例示的な実施例に示されるマルチメディア情報再生方法のフローチャートである。前記マルチメディア情報再生方法は、図１に示すマルチメディア情報再生システム１における採集デバイス１０に用いられ、図２に示すように、前記マルチメディア情報再生方法は、
ステップ２０１において、生放送端末により送信された生放送指令を受信し、
ステップ２０２において、周囲の環境情報を採集してマルチメディア情報を取得し、
ステップ２０３において、標準サーバが再生端末にマルチメディア情報を送信し、且つ再生端末が受信されたマルチメディア情報を再生するように、生放送指令に基づいて、標準サーバにマルチメディア情報を送信する。
【００３７】
以上より、本願の実施例により提供されるマルチメディア情報再生方法において、採集デバイスは、生放送端末により送信された生放送指令を受信すると、生放送指令によって、採集されたマルチメディア情報を標準サーバに送信し、更に、標準サーバは前記マルチメディア情報を再生端末に送信し、マルチメディア情報を再生させる。前記採集デバイスと生放送端末とは、それぞれ独立する個体で、採集デバイスの構成パラメータを向上することにより、採集デバイスにより取得されたマルチメディア情報の質を向上するから、再生端末が受信されたマルチメディア情報の質を向上し、マルチメディア情報の再生効果を向上させる。
【００３８】
好ましくは、採集デバイスにより取得されたマルチメディア情報の規格は、高精細度マルチメディアインタフェース（ＨＤＭＩ）規格又はシリアルデジタルインタフェース（ＳＤＩ）規格である。
【００３９】
好ましくは、ステップ２０３は、リアルタイムメッセージングプロトコルＲＴＭＰに基づいて、標準サーバにマルチメディア情報を送信するステップを含む。
【００４０】
好ましくは、生放送指令は、第１ネットワークアドレスを有し、第１ネットワークアドレスは、前記標準サーバの少なくとも一つのネットワークアドレスに属する。
【００４１】
図３は一つの例示的な実施例に示されるもう一つのマルチメディア情報再生方法のフローチャートである。前記マルチメディア情報再生方法は、図１に示すマルチメディア情報再生システム１における標準サーバ１１に用いられ、図３に示すように、前記マルチメディア情報再生方法は、
ステップ３０１において、採集デバイスにより生放送指令に基づいて送信されたマルチメディア情報を受信し、マルチメディア情報は、周囲の環境情報を採集することで取得されたもので、生放送指令は、再生端末から採集デバイスに送信したものであること、及び
ステップ３０２において、再生端末が受信されたマルチメディア情報を再生するように、再生端末にマルチメディア情報を送信すること、
を含む。
【００４２】
以上より、本願の実施例により提供されるマルチメディア情報の再生方法において、標準サーバは、採集デバイスが生放送指令によって周囲の環境情報を採集して取得し且つ送信されたマルチメディア情報を受信すると、前記マルチメディア情報を再生端末に送信し、マルチメディア情報を再生させる。前記採集デバイスと生放送端末とは、それぞれ独立する個体で、採集デバイスの構成パラメータを向上することにより、採集デバイスにより取得されるマルチメディア情報の質を向上するから、再生端末が受信されたマルチメディア情報の質を向上し、マルチメディア情報の再生効果を向上させる。
【００４３】
好ましくは、採集デバイスにより取得されたマルチメディア情報の規格は、高精細度マルチメディアインタフェース（ＨＤＭＩ）規格又はシリアルデジタルインタフェースＳＤＩ規格である。
【００４４】
好ましくは、ステップ３０１は、ＲＴＭＰに基づいて、採集デバイスの第１ネットワークアドレスによって送信されたマルチメディア情報を受信することを含むことができる。
【００４５】
好ましくは、標準サーバは、少なくとも二つのネットワークアドレスを有し、前記マルチメディア情報の再生方法は、
生放送端末によって送信された生放送要求を受信するステップと、
標準サーバの少なくとも二つのネットワークアドレスの中で第１ネットワークアドレスと第２ネットワークアドレスをそれぞれ選択するステップであって、第１ネットワークアドレスと第２ネットワークアドレスとは、それぞれ標準サーバにおける異なる記憶モジュールを指示するステップと、
生放送端末が第１ネットワークアドレスを有する指令を採集デバイスに送信するように、生放送端末に第１ネットワークアドレスを送信するステップ、
を更に含むことができる。
【００４６】
好ましくは、前記マルチメディア情報の再生方法は、
マルチメディア情報を第１ネットワークアドレスにより指示された記憶モジュールに記憶するステップと、
マルチメディア情報を標準化処理し、標準化処理されたマルチメディア情報のパラメータと再生端末の再生パラメータとを一致させるステップと、
標準化処理されたマルチメディア情報を、第２ネットワークアドレスにより指示された記憶モジュールに記憶するステップと、
再生端末の再生要求を受信し、再生要求に第２ネットワークアドレスが運ばれるステップと、
を更に含むことができる。
ステップ３０２は、
第２ネットワークアドレスにより指示された記憶モジュールから標準化処理されたマルチメディア情報を取得することと、
生放送配信メカニズムとコンテンツ配信ネットワーク（ＣＤＮ）メカニズムを採用し、標準化処理されたマルチメディア情報を再生端末に送信すること、
とを含むことができる。
【００４７】
図４は一つの例示的な実施例に示されるもう一つのマルチメディア情報再生方法のフローチャートである。前記マルチメディア情報再生方法は、図１に示すマルチメディア情報再生システム１に用いられ、図４に示すように、前記マルチメディア情報再生方法は、
ステップ４０１において、生放送端末は、標準サーバに生放送要求を送信する。
【００４８】
例示的には、キャスターは生放送端末によって標準サーバに登録することができ、更に、標準サーバに登録されてから標準サーバと通信接続が確立される。この時、生放送端末１２のユーザーインタフェースは、図５−１に示すように、前記生放送端末１２のユーザーインタフェースに「生放送する」のボタンが表示され、ユーザーが生放送したい場合に、この「生放送する」ボタンを直接にクリックすれば良く、これにより生放送端末により標準サーバに生放送要求を送信するように生放送端末をトリガする。
【００４９】
更に、生放送端末１２のユーザーインタフェースに生放送中のユーザー、及びこのユーザーに関連する生放送中の画像（例えば、画像や動画）を表示することができ、例示的に、図５−１において、前記ユーザーインタフェースに示されている８つの生放送中のユーザー、及び前記８つのユーザーのうちの各ユーザーに関連する生放送画像を例とする。前記生放送端末１２のユーザーインタフェースに検索欄を表示することができ、即ち、ユーザーが別のユーザーの生放送を見たい場合に、この検索欄を直接にクリックして、更に検索欄に前記別のユーザーの標識（例えば名前）を入力すれば良く、そうすると、前記端末は前記別のユーザーの生放送を直接に表示することができる。
【００５０】
ステップ４０２において、標準サーバは、標準サーバの少なくとも二つのネットワークアドレスの中でそれぞれ第１ネットワークアドレスと第２ネットワークアドレスを選択する。
【００５１】
例示的には、標準サーバに複数（少なくとも二つ）の記憶モジュールを設けることができ、各記憶モジュールは一つのネットワークアドレスを有し、前記標準サーバの少なくとも二つのネットワークアドレスは、即ち前記標準サーバにおける少なくとも二つの記憶モジュールのネットワークアドレスである。標準サーバは、生放送端末により送信された生放送要求を受信すると、前記標準サーバの少なくとも二つのネットワークアドレスにそれぞれ予め設定された方法で第１ネットワークアドレスと第２ネットワークアドレスを選択し、第１ネットワークアドレスと第２ネットワークアドレスとはそれぞれ標準サーバにおける異なる記憶モジュールを指示する。好ましくは、前記予め設定された方法は、ランダムに選択する方法であっても良いし、他の選択方法であっても良く、本願の実施例はこれを限定しない。
【００５２】
ステップ４０３において、標準サーバは、生放送端末に第１ネットワークアドレスを送信する。
【００５３】
標準サーバは、第１ネットワークアドレスと第２ネットワークアドレスを選択してから、第１ネットワークアドレスを生放送端末に送信することができ、例えば、標準サーバは第１ネットワークアドレスにより第１ネットワークアドレスを含むメッセージを生成し、更に、第１ネットワークアドレスを含むメッセージを、ある通信プロトコルによって生放送端末に送信する。
【００５４】
ステップ４０４において、生放送端末は、第１ネットワークアドレスを有する生放送指令を採集デバイスに送信する。
【００５５】
生放送端末は標準サーバによって送信された第１ネットワークアドレスを受信すると、前記生放送端末は、第１ネットワークアドレスによって、第１ネットワークアドレスを有する第１ネットワークアドレスの生放送指令を生成し、更に、第１ネットワークアドレスを有する生放送指令を採集デバイスに送信する。好ましくは、もし、生放送端末は、標準サーバによって送信された、第１ネットワークアドレスを含むメッセージを受信すると、前記生放送端末は第１ネットワークアドレスを含むメッセージを直接に処理し、例えば、メッセージヘッダ又はメッセージトレーラを追加すること、更に処理済みのメッセージを前記採集デバイスに直接に送信する。
【００５６】
ステップ４０５において、採集デバイスは、周囲の環境情報を採集してマルチメディア情報を取得する。
【００５７】
例示的には、前記採集デバイスは採集モジュールを含むことができ、ステップ４０５において採集デバイスは採集モジュールによって前記採集モジュールの周囲の環境情報を採集してマルチメディア情報を取得する。本願の実施例における採集モジュールはプロの撮影モジュールであっても良く、その採集されたマルチメディア情報の規格は、高精細度マルチメディアインタフェース（英語：High Definition Multimedia Interface；略語：ＨＤＭＩ）規格又はシリアルデジタルインタフェース（英文：serial digital interface；略語：ＳＤＩ）規格である。
【００５８】
採集モジュールは、少なくとも一つの採集ユニットと一つの放送案内ユニットからなり、各採集ユニットは一つの動画採集サブユニットと一つの音声採集サブユニットを含み、動画採集サブユニットは動画情報を採集し、音声採集サブユニットは音声情報を採集することができ、各採集ユニットにおいて、動画採集サブユニットによって採集された動画情報及び音声採集サブユニットによって採集された音声情報は、前記採集ユニットによって採集されたマルチメディア情報を構成する。前記少なくとも一つの採集ユニットにおける各採集ユニットは前記一つの放送案内ユニットに接続され、且つ各採集ユニットによって採集されたマルチメディア情報を全部前記放送案内ユニットに送信し、前記放送案内ユニットは前記少なくとも一つの採集ユニットによって送信された少なくとも一つのマルチメディア情報から、一つのマルチメディア情報を選んで前記採集モジュールによって採集されたマルチメディア情報とする。
【００５９】
ステップ４０６において、採集デバイスは、生放送指令によって、標準サーバにマルチメディア情報を送信する。
【００６０】
好ましくは、前記採集デバイスは、符号化モジュールと送信モジュールとを含み、且つ採集デバイスにおける採集モジュールと、符号化モジュールと送信モジュールとが逐一に接続され、ステップ４０５において、採集デバイスは採集モジュールの採集によってマルチメディア情報を取得してから、採集モジュールは取得されたマルチメディア情報を符号化モジュールに直接に送信することができる。
【００６１】
符号化モジュールは、前記マルチメディア情報を受信すると、前記マルチメディア情報を直接に符号化することができ、例示的には、マルチメディア情報は動画情報と音声情報とを含み、ここで、符号化された動画情報の規格は新世代デジタル動画圧縮規格であるＨ．２６４規格で、符号化された音声情報の規格はエーエーシー規格（英文：Advanced Audio Coding；略語：ＡＣＣ）であっても良い。
【００６２】
符号化モジュールは、マルチメディア情報を符号化してから、符号化されたマルチメディア情報を送信モジュールに送信し、例示的には、前記送信モジュールはリアルタイムメッセージングプロトコル（英文：Real Time Messaging Protocol；略語：ＲＴＭＰ）に基づいて、情報を伝送するモジュールである。送信モジュールは符号化されたマルチメディア情報を受信してから、ＲＴＭＰに基づいて、第１ネットワークアドレスによって符号化されたマルチメディア情報を標準サーバに送信し、好ましくは、送信モジュールは第１ネットワークアドレスが符号化されたマルチメディア情報を標準サーバにおける前記第１ネットワークアドレスにより指示された記憶モジュールに送信することができる。なお、前記標準サーバはＲＴＭＰに基づいて前記送信モジュールによって送信された符号化されたマルチメディア情報を受信することができる。
【００６３】
ステップ４０７において、標準サーバは、マルチメディア情報を、第１ネットワークアドレスにより指示された記憶モジュールに記憶する。
【００６４】
好ましくは、ステップ４０６において、送信モジュールにより標準サーバに送信した符号化されたマルチメディア情報には、第１ネットワークアドレスが含まれることができ、標準サーバは採集デバイスが送信モジュールによって送信された符号化されたマルチメディア情報を受信すると、前記符号化されたマルチメディア情報を、前記第１ネットワークアドレスにより指示された記憶モジュールに直接に記憶（キャッシュ）することができる。
【００６５】
ステップ４０８において、標準サーバは、マルチメディア情報を標準化処理する。
【００６６】
標準サーバは符号化されたマルチメディア情報を記憶した後、前記符号化されたマルチメディア情報を処理し始めることができ、処理されたマルチメディア情報を再生端末に適用させる。
【００６７】
例示的には、標準サーバはまず符号化されたマルチメディア情報を復号し、復号されたマルチメディア情報を取得する。次は、標準サーバは復号されたマルチメディア情報を標準化処理し、標準化処理されたマルチメディア情報のパラメータと再生端末の再生パラメータと（例えば、分解能と周波数等）を一致させる。
【００６８】
本願の実施例における採集デバイスはプロの採集デバイスであるから、プロの採集デバイスにより採集された動画情報の分解能が高く、動画情報や、音声情報の周波数も高く、一方、再生端末（例えば携帯電話）によって再生された動画情報の分解能が低く、動画情報や音声情報の周波数も低く、標準サーバは、マルチメディア情報を標準化処理するときに、マルチメディア情報の分解能と周波数とを調整することができ、標準化処理されたマルチメディア情報のパラメータと再生端末の再生パラメータとを同一範囲内にさせ、標準化処理されたマルチメディア情報を再生端末に順調に再生させる。
【００６９】
ステップ４０９において、標準サーバは、標準化処理されたマルチメディア情報を、第２ネットワークアドレスにより指示された記憶モジュールに記憶する。
【００７０】
標準サーバは、マルチメディア情報を標準化処理した後、標準化処理されたマルチメディア情報を、予め選択された第２ネットワークアドレスにより指示された記憶モジュールに直接に記憶することができる。
【００７１】
なお、標準化処理されたマルチメディア情報は、ただ第２ネットワークアドレスにより指示された記憶モジュールにキャッシュされ、標準化処理されたマルチメディア情報が、第２ネットワークアドレスにより指示された記憶モジュールに予め所定された時間でキャッシュされてから、前記標準サーバは、前記第２ネットワークアドレスにより指示された記憶モジュールにおける標準化処理されたマルチメディア情報を直接に削除する、又はマルチメディア情報を他のサーバに送信することができる。
【００７２】
好ましくは、ステップ４０２において、標準サーバは、第１ネットワークアドレスと第２ネットワークアドレスを選択した後、前記標準サーバは、生放送中のユーザー（生放送端末に登録するユーザー）と、第１ネットワークアドレスと第２ネットワークアドレスとの対応関係が確立され、好ましくは、標準サーバは、採集デバイスにより送信されたマルチメディア情報を受信した後、前記標準サーバは前に確立された対応関係を拡張することもでき、生放送中のユーザーと、第１ネットワークアドレスと第２ネットワークアドレスと採集デバイスとの対応関係を取得する。
【００７３】
例示的には、標準サーバによって取得された生放送ユーザーと、第１ネットワークアドレスと第２ネットワークアドレスと採集デバイスの対応関係は、表１に示すようなものであり、例示的に、生放送中のユーザーＭと、第１ネットワークアドレスＸ１と、第２ネットワークアドレスＹ１と、採集デバイスＷ１との対応について、次のように示す。生放送中のユーザーＭは前記標準サーバに登録した後、前記標準サーバが生放送中のユーザーＭに第１ネットワークアドレスＸ１と第２ネットワークアドレスＹ１を分配し、且つ第１ネットワークアドレスＸ１を生放送中のユーザーＭに使用されている生放送端末に送信し、前記生放送中のユーザーＭに使用されている生放送端末は、第１ネットワークアドレスＸ１を採集デバイスＷ１に送信し、採集デバイスＷ１はマルチメディア情報を集取してから、マルチメディア情報を標準サーバにおける第１ネットワークアドレスＸ１によって指示される記憶モジュールに送信し、標準サーバは第１ネットワークアドレスＸ１によって指示される記憶モジュールにおけるマルチメディア情報を標準化処理した後、標準化処理されたマルチメディア情報を第２ネットワークアドレスＹ１によって指示される記憶モジュールに記憶することができる。
【表１】
2019503088.tif 000003
【００７４】
ステップ４１０において、再生端末は、標準サーバに再生要求を送信する。
【００７５】
観衆は、再生端末によって標準サーバに登録することができ、更に、標準サーバに登録してから標準サーバと通信接続が確立され、且つ再生端末１３のユーザーインタフェースは図５−２に示すように、本願の実施例におけるキャスター（即ち生放送中のユーザー）が生放送中のユーザーＭである場合に、観衆は直接に前記ユーザーインタフェースにおいてユーザーインタフェースにおける生放送中のユーザーＭがいる領域を直接にクリックすることができる。観衆が前記ユーザーインタフェースにおける生放送中のユーザーＭがいる領域をクリックすることにより、再生端末が第２ネットワークアドレスを有する再生要求を生成するように再生端末をトリガすることができ、更に、前記再生要求を標準サーバに送信する。
【００７６】
ステップ４１１において、標準サーバは、再生端末にマルチメディア情報を送信する。
【００７７】
例示的には、標準サーバは再生端末から送信の再生要求を受信した後、前記再生要求から第２ネットワークアドレスを抽出することができ、さらに第２ネットワークアドレスにより指示された記憶モジュールから標準化処理されたマルチメディア情報を取得し、及び第２ネットワークアドレスにキャッシュされたマルチメディア情報をリアルタイムに再生端末に送信する。
【００７８】
好ましくは、複数の再生端末が標準サーバに第２ネットワークアドレスを有する再生要求を送信すると、標準サーバは生放送配信メカニズムとコンテンツ配信ネットワーク（（英文：Content Delivery Network；略語：ＣＤＮ））メカニズムを採用し、標準化処理されたマルチメディア情報を複数の再生端末に送信する。
【００７９】
ステップ４１２において、再生端末は、受信されたマルチメディア情報を再生する。
【００８０】
再生端末は、マルチメディア情報を受信すると、受信されたマルチメディア情報を再生することができ、例示的には、この時、再生端末１３のユーザーインタフェースは図５−３に示すように、この時のキャスターは生放送中のユーザーＭで、前記ユーザーインタフェースにおいて、生放送中のユーザーＭが当時生放送した時間を表示することができ、例えば、生放送中のユーザーＭはちょうど１３時から生放送し始めると、観衆は１４時４分に再生端末を利用して生放送中のユーザーＭが生放送のマルチメディア情報を再生する時に、前記観衆の再生端末のユーザーインタフェースに前記生放送中のユーザーＭが既に６４分０秒生放送したことを表示することができる。
【００８１】
以上より、本願の実施例により提供されるマルチメディア情報の再生方法において、採集デバイスは、生放送端末により送信された生放送指令を受信した後、生放送指令に基づいて、採集されたマルチメディア情報を標準サーバに送信し、更に、標準サーバは前記マルチメディア情報を再生端末に送信し、マルチメディア情報を再生させる。前記採集デバイスと再生端末とはそれぞれ独立の個体で、採集デバイスの構成パラメータを向上することにより、採集デバイスにより取得されたマルチメディア情報の質を向上することができるから、再生端末によって受信されたマルチメディア情報の質を向上し、マルチメディア情報の再生効果を向上することができる。
【００８２】
なお、本願の実施例により提供されるマルチメディア情報の再生方法のステップの前後順位は適切に調整することができ、状況によってはステップも対応的に増加又は削除することができ、当業者が本願に開示されている技術範囲内で、容易に想到し得た変化の方法は、いずれも本願の保護範囲内に含まれるべき、ここで詳しく説明しないことになる。
【００８３】
図６は、一つの例示的な実施例に示される一つの採集デバイス１０の構造概略図である。前記採集デバイス１０は図１に示すようなマルチメディア情報再生システム１に属してもよく、前記採集デバイス１０は、
生放送端末により送信された生放送指令を受信するように構成される受信モジュール１０１と、
周囲の環境情報を採集してマルチメディア情報を取得するように構成される採集モジュール１０２と、
標準サーバから再生端末にマルチメディア情報を送信し、且つ再生端末が受信されたマルチメディア情報を再生するように、生放送指令によって、標準サーバにマルチメディア情報を送信するように構成される送信モジュール１０３と、
を含む。
【００８４】
以上より、本願の実施例により適用される採集デバイスにおいて、受信モジュールは、生放送端末により送信した生放送指令を受信してから、採集モジュールは生放送指令によってマルチメディア情報を採集し、送信モジュールは、採集されたマルチメディア情報を標準サーバに送信し、更に、標準サーバは、前記マルチメディア情報を再生端末に送信し、マルチメディア情報を再生させる。前記採集デバイスと生放送端末とは、それぞれ独立する個体で、且つ採集デバイスの構成パラメータを向上することにより、採集デバイスにより取得されたマルチメディアの質を向上することができるから、再生端末によって受信されたマルチメディア情報の質を向上し、マルチメディア情報の再生効果を向上することができる。
【００８５】
好ましくは、採集デバイスにより採集されたマルチメディア情報の規格は、ＨＤＭＩ規格又はＳＤＩ規格である。
【００８６】
好ましくは、送信モジュール１０３は、更に、ＲＴＭＰに基づいて、標準サーバにマルチメディア情報を送信するように構成されることができる。
【００８７】
好ましくは、生放送指令は、第１ネットワークアドレスを有し、第１ネットワークアドレスは標準サーバの少なくとも一つのネットワークアドレスに属する。
【００８８】
図７−１は一つの例示的な実施例に示される一つの標準サーバ１１の構造概略図である。前記標準サーバ１１は、図１に示すようなマルチメディア情報システム１に属し、前記標準サーバ１１は、
採集デバイスにより生放送指令に基づいて送信されたマルチメディア情報を受信するように構成される第１受信モジュール１１１と、ここで、マルチメディア情報は、採集デバイスが周囲の環境情報を採集することで取得したものであり、且つ、生放送指令は、生放送端末が採集デバイスに送信したものであり、
再生端末が受信されたマルチメディア情報を再生するように、再生端末にマルチメディア情報を送信するように構成される第１送信モジュール１１２と、を含む。
【００８９】
以上より、本願の実施例により提供される標準サーバにおいて、第１受信モジュールは、採集デバイスが生放送指令によって周囲の環境情報を採集して取得して送信されたマルチメディア情報を受信すると、第１送信モジュールは、前記マルチメディア情報を再生端末に送信し、マルチメディア情報を再生させる。前記採集デバイスと生放送端末とは、それぞれ独立する個体で、採集デバイスの構成パラメータを向上することにより、採集デバイスにより取得されたマルチメディア情報の質を向上するから、再生端末が受信されたマルチメディア情報の質を向上し、マルチメディア情報の再生効果を向上させる。
【００９０】
好ましくは、採集デバイスにより取得されたマルチメディア情報の規格は、ＨＤＭＩ規格又はＳＤＩ規格である。
【００９１】
好ましくは、第１受信モジュール１１１は、ＲＴＭＰに基づいて、採集デバイスにより生放送指令に基づいて送信されたマルチメディア情報を受信するように構成される。
【００９２】
図７−２は、一つの例示的な実施例に示されるもう一つの標準サーバ１１の構造概略図である。標準サーバは、少なくとも二つのネットワークアドレスを有し、図７−１を基に、前記標準サーバ１１は、更に、
生放送端末により送信した生放送要求を受信するように構成される第２受信モジュール１１３と、
標準サーバの少なくとも二つのネットワークアドレスの中で第１ネットワークアドレスと第２ネットワークアドレスをそれぞれ選択するように構成される選択モジュール１１４と、第１ネットワークアドレスと第２ネットワークアドレスとは、それぞれ標準サーバにおける異なる記憶モジュールを指示し、
生放送端末が第１ネットワークアドレスを有する指令を採集デバイスに送信するように、生放送端末に第１ネットワークアドレスを送信するように構成される第２送信モジュール１１５と、
を含む。
【００９３】
図７−３は、一つの例示的な実施例に示されるもう一つの標準サーバ１１の構造概略図である。図７−２を基に、前記標準サーバ１１は、
マルチメディア情報を第１ネットワークアドレスにより指示された記憶モジュールに記憶するように構成される第１記憶モジュール１１６と、
マルチメディア情報を標準化処理し、標準化処理されたマルチメディア情報のパラメータと再生端末の再生パラメータとを一致させるように構成される処理モジュール１１７と、
標準化処理されたマルチメディア情報を、第２ネットワークアドレスにより指示された記憶モジュールに記憶するように構成される第２記憶モジュール１１８と、
再生端末の再生要求を受信し、再生要求に第２ネットワークアドレスが運ばれるように構成される第３受信モジュール１１９と、
第２ネットワークアドレスにより指示された記憶モジュールから標準化処理されたマルチメディア情報を取得し、生放送配信メカニズムとＣＤＮメカニズムを利用し、標準化処理されたマルチメディア情報を再生端末に送信するように構成される第１送信モジュール１１２と、を更に含むことができる。
【００９４】
以上より、本願の実施例により提供される標準サーバにおいて、第１受信モジュールは、採集デバイスが生放送指令によって周囲の環境情報を採集して取得して送信されたマルチメディア情報を受信すると、第１送信モジュールは、前記マルチメディア情報を再生端末に送信し、マルチメディア情報を再生させる。前記採集デバイスと生放送端末とは、それぞれ独立する個体で、採集デバイスの構成パラメータを向上することにより、採集デバイスにより取得されたマルチメディア情報の質を向上するから、再生端末が受信されたマルチメディア情報の質を向上し、マルチメディア情報の再生効果を向上させる。
【００９５】
図８は、一つの例示的な実施例に示されるもう一つの採集デバイス８００の構造概略図である。前記採集デバイス８００は図１に示すようなマルチメディア情報再生システム１における採集デバイス１０に属し、
前記採集デバイス８００は、
生放送端末により送信された生放送指令を受信するように構成される受信機８０１と、
周囲の環境情報を採集してマルチメディア情報を取得するように構成されるプロセッサ８０２と、
標準サーバから再生端末にマルチメディア情報を送信し、且つ再生端末が受信されたマルチメディア情報を再生するように、生放送指令によって標準サーバにマルチメディア情報を送信するように構成される送信機８０３と、
を含むことができる。
【００９６】
以上より、本願の実施例により適用される採集デバイスにおいて、受信機は、生放送端末により送信された生放送指令を受信してから、プロセッサは生放送指令によってマルチメディア情報を採集し、送信機は、採集されたマルチメディア情報を標準サーバに送信し、更に、標準サーバは、前記マルチメディア情報を再生端末に送信し、マルチメディア情報を再生させる。前記採集デバイスと生放送端末とは、それぞれ独立する個体で、且つ採集デバイスの構成パラメータを向上することにより、採集デバイスにより取得されたマルチメディアの質を向上することができるから、再生端末によって受信されたマルチメディア情報の質を向上し、マルチメディア情報の再生効果を向上することができる。
【００９７】
好ましくは、採集デバイスにより採集されたマルチメディア情報の規格は、ＨＤＭＩ規格又はＳＤＩ規格である。
【００９８】
好ましくは、送信機８０３は、更に、ＲＴＭＰに基づいて、標準サーバにマルチメディア情報を送信するように構成されることができる。
【００９９】
好ましくは、生放送指令は、第１ネットワークアドレスを有し、第１ネットワークアドレスは標準サーバの少なくとも一つのネットワークアドレスに属する。
【０１００】
図９は、一つの例示的な実施例に示されるもう一つの標準サーバ９００の構造概略図である。前記標準サーバ９００は図１に示すマルチメディア情報再生システム１における標準サーバ１１であって良い。図９を参照すると、標準サーバ９００は、一つ又は複数のプロセッサを含むプロセッサユニット９２２と、プロセッサユニット９２２によって実行可能な指令、例えば、プログラムを記憶するように構成される、メモリ９３２が代表するメモリ資源とを含む。メモリ９３２に記憶されるプログラムは一つ又は一つ以上のひと組の指令に対応する全部モジュールを含むことができる。また、プロセッサユニット９２２は指令を実行し、それによって上記図３に示したマルチメディア情報方法を実行するように構成される。
【０１０１】
標準サーバ９００は、標準サーバ９００の電源管理を実行するように構成される一つの電源ユニット９２６と、と、標準サーバ９００がネットワークに接続されるように構成される一つ有線又は無線ネットワークインタフェース９５０と、一つの出力入力（Ｉ／Ｏ）インタフェース９５８とを含む。標準サーバ９００は、メモリ９３２に記憶されたオペレーティングシステムを操作することができる。例えば、Windows ServerTM，Mac OS XTM，UnixTM, LinuxTM，FreeBSDTM又は類似したシステムを操作することができる。
【０１０２】
以上より、本願の実施例により提供される標準サーバにおいて、標準サーバは、採集デバイスが生放送指令によって周囲の環境情報を採集して取得して送信されたマルチメディア情報を受信すると、前記マルチメディア情報を再生端末に送信し、マルチメディア情報を再生させる。前記採集デバイスと生放送端末とは、それぞれ独立する個体で、採集デバイスの構成パラメータを向上することにより、採集デバイスにより取得されたマルチメディア情報の質を向上するから、再生端末が受信されたマルチメディア情報の質を向上し、マルチメディア情報の再生効果を向上させる。好ましくは、採集デバイスにより取得されたマルチメディア情報の規格は、高精細度マルチメディアインタフェース（ＨＤＭＩ）規格又はシリアルデジタルインタフェース（ＳＤＩ）規格である。
【０１０３】
説明上の便宜と簡潔性のために、上記説明されたマルチメディア情報再生方法の実施例、採集デバイスの実施例及び標準サーバの実施例は全て互いの参照になることができ、本願に開示された実施例をここで詳しく説明しないようにすることは、当業者に明白に理解されるべきである。
【０１０４】
当業者は、明細書を考慮して本願を実践した後、本願の他の実施案を容易に想到し得る。本願は、本願に開示されているいずれの変形、用途又は適応的な変化を含むことを旨とする。これらの変形や、用途又は適応的な変化はこの開示内容の一般的な原理に従い、且つ本願に未開示されている当分野における周知技術又は慣用技術手段を含む。明細書と実施例とはただ例示的なものと見做され、本発明の真の範囲及び主旨は請求項により提示される。
【０１０５】
本発明は上記説明されて図面に示された正確な構造を限定せず、且つその範囲を逸脱しない限り様々な補正と変化を行うことができる。本発明の範囲は添付される請求項のみに制限されるものである。
【図１】
2019503088.tif 000004
【図２】
2019503088.tif 000005
【図３】
2019503088.tif 000006
【図４】
2019503088.tif 000007
【図５−１】
2019503088.tif 000008
【図５−２】
2019503088.tif 000009
【図５−３】
2019503088.tif 000010
【図６】
2019503088.tif 000011
【図７−１】
2019503088.tif 000012
【図７−２】
2019503088.tif 000013
【図７−３】
2019503088.tif 000014
【図８】
2019503088.tif 000015
【図９】
2019503088.tif 000016
【国際調査報告】
2019503088.tif 000017
2019503088.tif 000018
2019503088.tif 000019
2019503088.tif 000020
2019503088.tif 000021